(57)【要約】  多目的メーキャップ・アプリケータが提供される。前記アプリケータは、ハンドルと、当該ハンドルから長手方向に沿って外方に延出する中空長手軸と、前記軸内に位置する第１アプリケータと、前記軸上に形成された第２アプリケータとを有する。前記第１アプリケータは、一端部において前記ハンドルに固定された長手部材と、第２の前記端部の反対側の端部に固定されたアプリケータツールとを有する。前記第１アプリケータの前記長手部材は、目の周りに化粧品を塗付するための格納可能なアイライナーツールとして構成することができる。前記第２アプリケータは、前記軸の前記遠端部に接続することができ、これは、前記軸から外側に延出しマスカラ等の化粧品を塗付するために使用されるブラシを形成する剛毛又は剛毛繊維として構成される。前記第１アプリケータを格納および／又は延出するために前記ハンドル内に捩じり／スライド機構を設けることができる。前記第２アプリケータは、前記長手軸内に格納移動および／又は当該長手軸から延出、あるいは、恒久的な延出位置に維持することができる。
2015524328.tif 000002
【特許請求の範囲】
【請求項１】
多目的メーキャップ・アプリケータであって、
ハンドルと、
第１端部において前記ハンドルに固定された長手部材と、
第２の反対側端部に固定されて第１化粧製品を塗付するように構成された第１アプリケータと、
前記ハンドルと接触するとともに当該ハンドルから長手方向に沿って外方に延出する近端部および遠端部を備える中空長手軸と、
前記遠端部に固定されて第２化粧製品を塗付するように構成された第２アプリケータと、を有し、
前記長手部材は前記中空長手軸内に格納可能に配置されている多目的メーキャップ・アプリケータ。
【請求項２】
更に、前記ハンドル内に配置されたノブを有し、当該ノブは開放位置と閉鎖位置との間で回転可能である請求項１に記載の多目的メーキャップ・アプリケータ。
【請求項３】
前記ノブが前記閉鎖位置にある時、前記長手部材は完全格納位置にある請求項２に記載の多目的メーキャップ・アプリケータ。
【請求項４】
前記ノブが前記開放位置にある時、前記長手部材は完全延出位置にあり、前記第１アプリケータは塗付のために露出される請求項１に記載の多目的メーキャップ・アプリケータ。
【請求項５】
前記第１アプリケータは、目の周りにアイライナを塗付するアイライナアプリケータである請求項１に記載の多目的メーキャップ・アプリケータ。
【請求項６】
前記第２アプリケータは、まつ毛にマスカラを塗付するためのブラシを有する請求項１に記載の多目的メーキャップ・アプリケータ。
【請求項７】
前記ブラシは、複数の剛毛を有し、これら剛毛は前記中空長手軸から恒久的に外側に延出している請求項６に記載の多目的メーキャップ・アプリケータ。
【請求項８】
更に、前記ハンドル内に配置され、前記長手部材を前記中空長手軸内で格納／延出させるための捩じり／スライド機構を有する請求項１に記載の多目的メーキャップ・アプリケータ。
【請求項９】
前記捩じり／スライド機構は、その内側キャップの周りを斜め上方に第１位置から第２位置へと延出するスロットを備える内側キャップと、
前記中空長手軸内における前記長手部材のスライドを容易にするべく前記長手部材内に配置された一対のポケット内に設けられた一対のＯリングと、を有する請求項８に記載の多目的メーキャップ・アプリケータ。
【請求項１０】
前記長手部材の前記第１端部は前記スロットに接続され、かつ当該スロット内で移動するように構成された突起を有する請求項９に記載の多目的メーキャップ・アプリケータ。
【請求項１１】
前記一対のＯリングは金属ボールである請求項９に記載の多目的メーキャップ・アプリケータ。
【請求項１２】
更に、前記中空長手軸を挿入するための容器を有する請求項１に記載の多目的メーキャップ・アプリケータ。
【請求項１３】
前記容器は、化粧製品を保持するための貯蔵部である請求項１２に記載の多目的メーキャップ・アプリケータ。
【請求項１４】
多目的メーキャップ・アプリケータであって、
ハンドルと、
第１端部において前記ハンドルに固定された長手部材と、
第２の反対側端部に固定されて第１化粧製品を塗付するように構成された第１アプリケータと、
前記ハンドルと接触するとともに当該ハンドルから長手方向に沿って外方に延出する近端部および遠端部を備える中空長手軸と、
前記遠端部に固定されて第２化粧製品を塗付するように構成された第２アプリケータと、を有し、
前記ハンドル内に配置され、前記長手部材を前記中空長手軸内で格納／延出させるための捩じり／スライド機構を有する多目的メーキャップ・アプリケータ。
【請求項１５】
前記捩じり／スライド機構は、その内側キャップの周りを斜め上方に第１位置から第２位置へと延出するスロットを備える内側キャップと、
前記中空長手軸内における前記長手部材のスライドを容易にするべく前記長手部材内に配置された一対のポケット内に設けられた一対のＯリングと、を有する請求項１４に記載の多目的メーキャップ・アプリケータ。
【請求項１６】
前記長手部材の前記第１端部は前記スロットに接続され、かつ当該スロット内で移動するように構成された突起を有する請求項１５に記載の多目的メーキャップ・アプリケータ。
【請求項１７】
前記一対のＯリングは金属ボールである請求項１５に記載の多目的メーキャップ・アプリケータ。
【請求項１８】
多目的メーキャップ・アプリケータであって、
ハンドルと、
第１端部において前記ハンドルに固定された長手部材と、
第２の反対側端部に固定されて第１化粧製品を塗付するように構成された第１アプリケータと、
前記ハンドルと接触するとともに当該ハンドルから長手方向に沿って外方に延出する近端部および遠端部を備える中空長手軸と、
前記遠端部に固定されて第２化粧製品を塗付するように構成された第２アプリケータと、
前記ハンドル内に配置され、前記長手部材を前記中空長手軸内で格納／延出させるための捩じり／スライド機構を有し、
前記捩じり／スライド機構は、その内側キャップの周りを斜め上方に第１位置から第２位置へと延出するスロットを備える内側キャップと、
前記中空長手軸内における前記長手部材のスライドを容易にするべく前記長手部材内に配置された一対のポケット内に設けられた一対のＯリングと、を有する多目的メーキャップ・アプリケータ。
【請求項１９】
前記長手部材の前記第１端部は前記スロットに接続され、かつ当該スロット内で移動するように構成された突起を有する請求項１８に記載の多目的メーキャップ・アプリケータ。
【請求項２０】
前記一対のＯリングは金属ボールである請求項１８に記載の多目的メーキャップ・アプリケータ。
【発明の詳細な説明】
【技術分野】
【０００１】
３５Ｕ．Ｓ．Ｃ．§１１９に基づく優先権の主張
本特許出願は、２０１２年８月６日出願の、ここに参考文献として合体させる、「多目的メーキャップ・アプリケータ」という名称の米国仮特許出願Ｎｏ．６１／６８０，１７８に対する優先権を主張するものである。
【０００２】
分野
少なくとも１つの特徴構成は多目的メーキャップ・アプリケータ/ツールに関する。
【背景技術】
【０００３】
市場には様々な化粧製品が存在する。そのそれぞれは、人の容貌又は一つ又は複数の顔造作を向上、改善、変更および／又は変化させるように構成されている。化粧製品の具体例として、リップスティック、ファウンデーション、ブラシ、マスカラ、アイライナがある。大抵の場合、各特定の化粧製品は、その特定の化粧製品を人に塗付するために専用のアプリケータ(又はツール)を必要とする。
【０００４】
マスカラは、専用のアプリケータ(ツール)を必要とする化粧製品の一例である。マスカラは、まつ毛を色濃くしたり、太くしたり、長くするために使用される。通常、まつ毛にマスカラを塗付するためにアプリケータが使用される。このアプリケータは、ブラシ又は剛毛を有し、マスカラを収納した容器に漬けられる。ブラシによってマスカラを採り出し、ブラシによってマスカラをまつ毛にブラッシングすることによってマスカラはまつ毛に塗付される。
【０００５】
アイライナは、専用のアプリケータ(ツール)を必要とする化粧製品のもう一つの例である。アイライナは目の輪郭を形成するために使用される。それは、目の輪郭の周りに塗付されて様々な美的効果を作り出す。アイライナは様々な形態のものがあり、その塗付方法も様々である。一例において、アイライナは、鉛筆状のツール、又は、細い圧縮アイライナブラシ、を使用して塗付される。その場合、アイライナは、その鉛筆状ツールの先端部に位置し、目の輪郭の周りにアイライナをブラッシングすることによって塗付される。
【０００６】
上述した化粧製品は、市場に存在する数多くの化粧製品の二つの例に過ぎない。多くの人々は、それよりもはるかに多数の製品を所有し使用している。従って、人がその家庭において多数のツールとアプリケータを所有している可能性があることは明らかである。
【０００７】
化粧製品とそれらのそれぞれのアプリケータ（又はツール）は、大きな空間を占有し乱雑さを作り出すことからこれは問題である。旅行する時には、化粧製品とツールの数だけでもとりわけ厄介で面倒である。旅行時には荷造りされる品物の数を最小限にすることが理想であるが、それぞれの化粧製品がその専用のツールを必要とする場合には、これは達成することが困難である。
【発明の概要】
【発明が解決しようとする課題】
【０００８】
従って、複数の目的のために使用することが可能なメーキャップ・アプリケータ(又はツール)が必要とされている。具体的には、軽量で、携帯可能で、かつ、その多目的ツールがそれに取って代わる各ツールの機能性を全く犠牲にすることなく、完全な機能性を有する、多目的メーキャップツール又はアプリケータが求められている。
【課題を解決するための手段】
【０００９】
以下は、それらの態様に関する基本的理解を提供するための、本開示内容の単数又は複数の態様の簡単な要約である。この要約は、本開示(本発明)の考えられるすべての特徴構成を網羅したものではなく、本開示のすべての態様の必須要件を同定するものではなく、又、本開示のすべての態様の範囲を記載するものでもない。その目的は、もっぱら、本開示の単数又は複数の態様のいくつかの概念を、後述するより詳細な説明に対する前置きとして、単純化した形態で提供することにある。
【００１０】
一例において、本開示は、多目的メーキャップ・アプリケータを提供する。この多目的メーキャップ・アプリケータは、ハンドルと、当該ハンドルに接続された、第１の化粧製品を塗付するための第１の格納可能なアプリケータと、そして、前記ハンドルに接続された、第２の化粧製品を塗付するための第２の格納可能なアプリケータ、とを有する。前記第１および第２の格納可能アプリケータは、共に、開放位置と閉鎖位置とを備えるものとして構成することができる。
【００１１】
一態様に依れば、前記第１格納可能アプリケータが最大化位置にある時、前記第２格納可能アプリケータは最小化位置にある。反対に、前記第１格納可能アプリケータが最小化位置にある時、前記第２格納可能アプリケータは最大化位置にある。
【００１２】
一態様に依れば、前記第１格納可能アプリケータは、目の周りにアイライナを塗付するためのアイライナアプリケータであり、前記第２格納可能アプリケータは、マスカラをまつ毛に塗付するためのブラシを備える。
【００１３】
別の例において、本開示は多目的メーキャップツール／アプリケータを提供する。この例において、前記多目的メーキャップツール／アプリケータは、ハンドルと、第１端部において前記ハンドルに固定された長手部材と、第２の反対側端部に固定されて第１化粧製品を塗付するように構成された第１アプリケータと、前記ハンドルに接触するとともにそこから長手方向に沿って外方に延出する近端部および遠端部を備える中空長手軸と、前記遠端部に固定されて第２化粧製品を塗付するように構成された第２アプリケータと、を有し、前記長手部材は、前記中空長手軸内に格納可能に配置されている。
【００１４】
一態様において、前記多目的メーキャップツール／アプリケータは、更に、前記ハンドル内に配置されたノブを有し、このノブは開放位置と閉鎖位置との間で回転可能である。前記ノブが前記閉鎖位置にある時、前記長手部材は、完全格納位置にあり、前記ノブが前記開放位置にある時、前記長手部材は完全延出位置にあって前記第１アプリケータは塗付のために露出状態にある。
【００１５】
一態様において、前記第１アプリケータは、目の周りにアイライナを塗付するためのアイライナアプリケータであり、前記第２アプリケータはマスカラを塗付するためのブラシを備える。前記ブラシは、複数の剛毛を有し、これらの剛毛は前記中空長手軸から恒久的に外側に延出している。
【００１６】
一態様において、前記多目的メーキャップツール／アプリケータは、更に、前記ハンドル内に配置され、前記長手部材を前記中空長手軸内で格納／延出させるための捩じり／スライド機構を有する。当該捩じり／スライド機構は、その内側キャップの周りを斜め上方に第１位置から第２位置へと延出するスロットを備える内側キャップと、前記中空長手軸内における前記長手部材のスライドを容易にするべく前記長手部材内に配置された一対のポケット内に設けられた一対のＯリングと、を有している。
【００１７】
一態様において、前記長手部材の前記第１端部は前記スロットに接続され、かつ当該スロット内で移動するように構成された突起を有する。
【００１８】
一態様において、前記多目的メーキャップ・アプリケータは、更に、前記中空長手軸を挿入するための容器を備え、当該容器は化粧品を保持するための貯蔵部として構成されている。
【００１９】
本態様の特徴構成、特性および利点は、それら全体を通して類似の部材が類似の参照番号で示された図面を参照しながら、以下の詳細説明からより明らかになるであろう。
【図面の簡単な説明】
【００２０】
【図１】一態様による、多目的メーキャップ・アプリケータの第１位置にある状態を示した図である。
【図２】図１の多目的メーキャップ・アプリケータの第２位置にある状態を示した図である。
【図３】多目的メーキャップ・アプリケータの使用方法と、当該多目的メーキャップ・アプリケータが閉じ位置にある時のその格納方法とを示した図である。
【図４】一態様による多目的メーキャップ・アプリケータの操作手順を示した図である。
【図５】一態様による多目的メーキャップ・アプリケータを示した図である。
【図６】一態様による多目的メーキャップ・アプリケータを示した図である。
【図７】図６の多目的メーキャップ・アプリケータのカバー無しの状態を示した図である。
【図８】一態様による多目的メーキャップ・アプリケータの第１位置にある状態を示した図である。
【図９】図８の多目的メーキャップ・アプリケータの第２位置にある状態を示した図である。
【図１０】図８の多目的メーキャップ・アプリケータの第３位置にある状態を示した図である。
【図１１】図１０の多目的メーキャップ・アプリケータの断面を示した図である。
【図１２】多目的メーキャップ・アプリケータの組み付け方法の一例を示した図である。
【図１３】図１２の多目的メーキャップ・アプリケータの組み付け後の状態を示した図である。
【図１４Ａ】一態様の多目的メーキャップ・アプリケータの一連の操作を示した図である。
【図１４Ｂ】一態様の多目的メーキャップ・アプリケータの一連の操作を示した図である。
【図１４Ｃ】一態様の多目的メーキャップ・アプリケータの一連の操作を示した図である。
【図１５】一態様による、多目的メーキャップ・アプリケータを示した図である。
【図１６】図１５の多目的メーキャップ・アプリケータの分解図を示した図である。
【図１７】図１５の多目的メーキャップ・アプリケータの第１位置にある状態を示した図である。
【図１８】図１５の多目的メーキャップ・アプリケータの第２位置にある状態を示した図である。
【図１９Ａ】図１５の多目的メーキャップ・アプリケータの一連の操作を示した図である。
【図１９Ｂ】図１５の多目的メーキャップ・アプリケータの一連の操作を示した図である。
【図１９Ｃ】図１５の多目的メーキャップ・アプリケータの一連の操作を示した図である。
【図１９Ｄ】図１５の多目的メーキャップ・アプリケータの一連の操作を示した図である。
【図２０】図１５の多目的メーキャップ・アプリケータの線２０−２０に沿った断面を示した図である。
【図２１】図１５の多目的メーキャップ・アプリケータの線２１−２１に沿った断面を示した図である。
【図２２】図１９の多目的メーキャップ・アプリケータの分解図を示した図である。
【発明を実施するための形態】
【００２１】
下記の詳細説明は、ここに開示のアプローチを実施するための現在考えられる最善の態様に関する。この説明は、限定的なものと見なされるべきではなく、単にここに開示のアプローチの一般原理を例示するためのものに過ぎない。
【００２２】
以下の説明において、ここに開示されるアプローチの単数又は複数の態様のいくつかの特徴を説明するためにある種の用語法が使用される。例えば、用語「格納可能」は、少なくとも二つの異なる位置にあることが可能な対象物について言及するものである。具体的には、用語「格納可能」は、いくつかの態様において、格納又は延出可能な対象物について言及するものである。用語「接続」は、直接接続又は間接接続をいう。即ち、二つの対象物は、たとえこれら二つの対象物が互いに物理的に接触してなくとも、互いに接続されうる。
【００２３】
第１実施例
図１−２は、一態様による多目的メーキャップ・アプリケータを示している。図示されているように、多目的メーキャップ・アプリケータ１００は、ハンドル１１０と、当該ハンドル１１０から長手方向に沿って外方に延出する中空長手軸１２０と、前記中空長手軸１２０内に位置する第１アプリケータツール１３１を備える第１アプリケータ１３０と、前記中空長手軸上に形成された第２アプリケータ１４０とを有するものとして構成することができる。前記中空長手軸１２０は、前記ハンドル１１０と接触する近端部１２０ａと、その反対側の遠端部１２０ｂとを備えるものとして構成することができる。
【００２４】
前記第１アプリケータ１３０は、前記中空長手軸１２０内に配置されるとともに一端部において前記ハンドル１１０に固定された長手部材と、第２の反対側の端部に固定された前記第１アプリケータツール１３１とを備えて構成することができる。一態様に依れば、前記第１アプリケータ１３０の前記長手部材は、クレヨン、チョーク、リップスティック、アイライナ又はスワッブアプリケータとして構成することができる。例えば、前記第１アプリケータ１３０は、化粧品を、例えば、目の輪郭の周りに塗付するための格納可能アイライナツールとして構成することができる。図１に示したように、後に詳述するように、前記ハンドル１１０又は当該ハンドル１１０の一部が、第１方向（解放方向）において回転されるか捩じられると、前記第１アプリケータ１３０の前記長手部材は、軸心方向上方（又は外方）に延出して当該長手部材の前記端部の前記第１アプリケータツール１３１が塗付のために露出される。図２に示したように、前記ハンドル１１０が、前記第１方向の反対の第２方向（閉じ方向）に回転されるか捩じられると、前記第１アプリケータ１３０の前記長手部材は、前記中空長手軸１２０内において軸心方向に格納することができる。
【００２５】
前記第２アプリケータは、前記長手軸１２０の前記遠端部１２０ｂに、接続されるか、もしくは、そこに形成することができる。一態様に依れば、前記第２アプリケータ１４０は、前記中空長手軸１２０から外方に延出してブラシを形成する単数又は複数の剛毛又は剛毛繊維、を備えたものとして構成することができる。前記ブラシは、マスカラ等の化粧品を、まつ毛に塗付するために使用することができる。図１に示したように、前記ハンドル１１０を、後に詳述するように、前記第１方向に回転させるか捩じることによって、前記第２アプリケータ１４０の前記剛毛又は剛毛繊維を前記中空長手軸１２０に向けて格納又は圧縮することができる。図２に示したように、前記ハンドル１１０を前記第１方向の反対の前記第２方向に回転させるか捩じることによって、前記第２アプリケータ１４０の前記剛毛又は剛毛繊維を塗付のために前記中空長手軸１２０から外方に突出させることができる。
【００２６】
再び図１を参照すると、ここには前記多目的メーキャップ・アプリケータ１００が第１位置にある状態が示されている。具体的には、図１は、前記多目的メーキャップ・アプリケータ１００が開放位置にある状態を示している。この開放位置において、前記第１アプリケータ１３０は、延出又は突出位置（たとえば、最大化位置）にあり、前記第２アプリケータ１４０は格納位置（たとえば、最小化位置）にある。前記第１アプリケータ１３０が前記延出位置にある時、この第１アプリケータ１３０を、前記長手軸１２０の最も外側（完全にではないにせよ）に位置させることができる。前記第２アプリケータ１４０が前記格納位置にある時、当該第２アプリケータ１４０は、前記長手軸１２０の最も内側（完全にではないにせよ）に位置させることができる。図１に示したように、前記延出位置において、前記第１アプリケータ１３０は、前記長手軸１２０の頂部の穴を通して、当該長手軸１２０から外側に延出し、これによって前記第１アプリケータツール１３１が見える状態になる。いくつかの態様において、前記第１アプリケータ１３０は、前記軸１２０の頂部のスリットを介してこの長手軸１２０から外側に延出することができる。穴ではなくスリットを使用することの一つの利点は、第１アプリケータ１３０が前記格納位置にある時に、スリットによって前記長手軸１２０をしっかりと閉じる又はカバーすることができることにある。
【００２７】
上述したように、いくつかの態様において、前記多目的メーキャップ・アプリケータ１００が前記開放位置にある時、この多目的メーキャップ・アプリケータ１００は、主として、アイライナツールとして使用することができる。いくつかの態様において、前記開放位置において、前記第１アプリケータ１３０の第１アプリケータツール１３１は、前記長手軸１２０の外側に位置して、そこから使用することが可能となる。しかしながら、前記開放位置において、前記第２アプリケータ１４０は、前記長手軸１２０の内部に位置し（あるいはその内部に格納され）、従って、マスカラアプリケータとして使用することができない。
【００２８】
再び図２を参照すると、ここには前記多目的メーキャップ・アプリケータ１００が第２位置にある状態が示されている。具体的には、図２は、前記多目的メーキャップ・アプリケータ１００が閉鎖位置にある状態を示している。この閉鎖位置において、前記第１アプリケータ１３０は、格納位置（たとえば最小化位置）にある、前記第２アプリケータ１４０は延出又は突出位置（たとえば、最大化位置）にあるように構成できる。前記第１アプリケータ１３０が前記格納位置にある時、この第１アプリケータ１３０を、前記第１アプリケータ１３１を含めて、前記長手軸１２０の最も内側（完全にではないにせよ）に位置させることができる。前記第２アプリケータ１４０が前記延出位置にある時、当該第２アプリケータ１４０は、前記長手軸１２０の最も外側（完全にではないにせよ）に位置させることができる。図２に示したように、前記延出位置において、前記第２アプリケータ１４０の前記剛毛は、前記長手軸１２０の前記遠端部１２０ｂ回りに配置された複数の穴を通して当該長手軸１２０から外側に延出することができる。
【００２９】
上述したように、いくつかの態様において、前記多目的メーキャップ・アプリケータ１００が前記閉鎖位置にある時、当該多目的ツール１００は、主としてマスカラ塗付ツールとして使用することができる。いくつかの態様においては、前記閉鎖位置において、前記第１アプリケータツール１３１と前記第１アプリケータ１３０とは前記軸１２０の内部に位置し、したがって、利用することができない。しかしながら、前記閉鎖位置において、前記第２アプリケータ１４０は前記長手軸１２０の外側に位置し、従って、前記多目的メーキャップ・アプリケータ１００はマスカラアプリケータとして使用可能である。更に、前記閉鎖位置において、前記多目的メーキャップ・アプリケータ１００は、取り外し可能なキャップ等の容器内に収納することができる。
【００３０】
図３は、多目的メーキャップ・アプリケータが前記閉鎖位置にある時に、いかにしてこの多目的メーキャップ・アプリケータを使用および／又は格納、するかの一例を示している。この図に示されているように、前記多目的メーキャップ・アプリケータ３００は、取り外し可能なキャップ３１０等の容器内に収納することができる。一態様に依れば、前記容器３１０は、マスカラを収納するマスカラチューブ又は容器として構成することができる。上述したように、前記多目的メーキャップ・アプリケータ３００は、第１アプリケータツールを備える第１アプリケータ３２０と、第２アプリケータ３３０（いくつかの態様においては剛毛を有する）とを有するものとして構成できる。前記第１アプリケータ３２０と前記第２アプリケータとは共に格納可能なアプリケータとして構成することができる。
【００３１】
図３に更に示したように、前記第２アプリケータ３３０が前記延出位置にある時に、前記第１アプリケータ３２０は、前記格納位置に位置することができる。前記多目的メーキャップ・アプリケータ３００が前記容器３１０に挿入されると、前記第２アプリケータ３３０によって、前記容器３１０内に格納されたマスカラの一部を採り出すことができる。前記多目的メーキャップ・アプリケータ３００が前記容器３１０から取り出されると、前記第２アプリケータ３３０はそれにいくらかのマスカラがついた状態であり、これを、たとえば、まつ毛に塗付することができる。更に、非使用時においては、前記多目的メーキャップ・アプリケータ３００は、前記容器３１０内に格納することができる。前記多目的メーキャップ・アプリケータ３００は前記閉鎖位置にある間に、前記容器３１０内に格納されると記載したが、いくつかの態様においては、前記多目的メーキャップ・アプリケータ３００を、前記開放位置にある間に、前記容器３１０内に格納することも可能である。
【００３２】
図１−２に戻ると、様々な態様において、前記第１アプリケータ１３０と前記第２アプリケータ１４０とを前記長手軸１２０から格納および／又は延出させるために様々な機構を使用することができる。例えば、前記第１アプリケータ１３０を格納および／又は延出させるためにバネ式機構を使用することができ、前記第２アプリケータ１４０はバネ式機構である。このバネ式機構において、前記第１アプリケータ１３０と第２アプリケータ１４０とを前記軸１２０に対して押入れ、引き出すためにバネ／スライド機構を使用することができる。その場合、このバネ／スライド機構は、前記軸１２０内に配置して、前記第１アプリケータ１３０と第２アプリケータ１４０とに接続（直接的又は間接的）することができる。
【００３３】
前記バネを圧縮することによって前記スライド機構の第１方向の移動を生じさせ、前記バネを圧縮から解放することによって前記スライド機構の第２方向の移動を生じさせることができる。いくつかの態様において、前記第２方向は前記第１方向の反対の方向とすることができる。前記スライド機構の移動によって、第１アプリケータ１３０と第２アプリケータ１４０とが、前記長手軸１２０から格納又は延出するように構成することができる。いくつかの態様において、前記バネを圧縮することによって第１アプリケータ１３０は長手軸１２０内に格納され、第２アプリケータ１４０は長手軸１２０から延出される。他の態様においては、前記バネを圧縮することによって第１アプリケータ１３０は長手軸１２０から延出し、第２アプリケータ１４０は長手軸１２０内に格納される。
【００３４】
いくつかの態様において、前記ハンドル１１０は、前記バネを圧縮するか、又は当該バネを開放する、押しボタンを備えて構成することができる。このように、前記ハンドル１１０を使用して、前記第１アプリケータ１３０と第２アプリケータ１４０との格納と延出を制御することができる。
【００３５】
ここに開示されるアプローチから逸脱することなく、図１−３に示されているコンポーネントおよび機能の一つ又は複数を、再構成および／又は、一つのコンポーネントに統合、あるいは複数のコンポーネントとして実施することも可能である。上記多目的メーキャップ・アプリケータはアイライナツールおよびマスカラ塗付ツールとして使用されるものとして記載したが、それは、その他のタイプの化粧製品を塗付するためにも使用可能である。又、いくつかの態様において、前記第１および第２アプリケータを、前記軸から同時に格納、延出可能に構成することも可能である。
【００３６】
ここに開示のアプローチから逸脱することなく、その他の要素又はコンポーネントを追加することも可能である。例えば、前記スライド機構に加えて、いくつかの態様では、更に、前記第１アプリケータ又は第２アプリケータの一方向のスライド移動を、当該スライド移動方向の反対の方向に変換する反転機構を備えることができる。
【００３７】
以上、多目的ツール／アプリケータの一実施例について記載したが、次に、多目的メーキャップ・ツール／アプリケータのその他の実施例について説明する。
【００３８】
第２実施例
図４は、一態様による多目的メーキャップ・アプリケータの一連の操作を示している。図４に示したように、多目的メーキャップ・アプリケータ４００は、ハンドル４１０と、当該ハンドル４１０から長手方向に沿って外方に延出する中空長手軸４２０と、当該中空長手軸４２０内に配置された第１アプリケータ４３０と、前記中空長手軸４２０上に形成された第２アプリケータ４４０と、シェル４５０を備えて構成することができる。前記中空長手軸４２０は、前記ハンドル４１０と接触する近端部４２０ａと、その反対側の遠端部４２０ｂとを備えたものとして構成することができる。一態様に依れば、前記ハンドル４１０の少なくとも一部分は捩じることが可能である。前記シェル４５０は、前記ハンドル４１０に接続し、前記軸４２０の少なくとも一部分を覆うように構成することができる。
【００３９】
前記第１アプリケータ４３０は、一端部において前記ハンドル４１０に固定される長手部材と、第２の反対側の端部に固定されるアプリケータツールとを備えて構成することができる。一態様に依れば、前記第１アプリケータ４３０の前記長手部材は、クレヨン、チョーク、リップスティック、アイライナ、又はスワッブアプリケータとして構成することができる。例えば、前記第１アプリケータ４３０は、例えば、目の輪郭の周りに、化粧品を塗付するための格納可能なアイライナツールとして構成することができる。
【００４０】
前記第２アプリケータ４４０は、前記長手軸４２０の前記遠端部４２０ｂに、接続、又は形成することができる。一態様に依れば、前記第２アプリケータ４４０は、前記中空長手軸４１０から外方に延出し、ブラシを形成する単数又は複数種の剛毛又は剛毛繊維を備えて構成することができる。前記ブラシは、マスカラ等の化粧品をまつ毛に塗付するために使用することができる。
【００４１】
図４の工程１において、前記シェル４５０は、前記長手軸４２０の一部をカバーするように構成することができる。この位置において、前記第２アプリケータ４４０は、延出位置にあり、他方、第１アプリケータ４３０は格納位置にあるものとすることができる。この格納位置において、前記第１アプリケータ４３０は、いくつかの実施例においては、見えないように構成することができる。
【００４２】
図４の工程２において、前記シェル４５０は、前記第２アプリケータ４４０の少なくとも一部をカバーするように構成することができる。この工程において、前記第２アプリケータ４４０は、部分的に延出位置にあるものとすることができる。この位置において、前記第２アプリケータ４４０の一部は見える。又、工程２において、前記第１アプリケータ４３０は、部分的に延出位置にあるものとすることができる。この位置において、前記第１アプリケータ４３０の一部は見える。第１アプリケータ４３０は、前記長手軸４２０の頂部から穴又はスリットを通して延出することができる。いくつかの態様において、工程２は、ハンドル４１０が捩じられた時（たとえば、時計回り方向、反時計回り方向）に行われるように構成することができる。
【００４３】
図４の工程３において、前記シェル４５０は、前記第２アプリケータ４４０をカバーできる。この位置において、前記第２アプリケータ４４０は、格納位置にあるものとすることができる。工程３は、更に、第１アプリケータ４３０が延出位置にあるものとすることができることも図示している。この延出位置において、前記第１アプリケータ４３０は、前記長手軸４２０から（たとえば、当該長手軸４２０の穴又はスリットを通して）完全に延出している。上述したように、第１アプリケータ４３０は、前記ハンドル４１０が特定の方向（たとえば、時計回り方向、反時計回り方向）に捩じられた時に、前記延出位置にあるものとして構成することができる。
【００４４】
図５は、一態様による多目的メーキャップ・アプリケータ５００を示している。当該多目的メーキャップ・アプリケータ５００は、ハンドル５１０と、当該ハンドル５１０から長手方向に沿って外方に延出する中空長手軸５２０と、当該中空長手軸５２０内に配置された第１アプリケータ５３０と、前記中空長手軸５２０上に形成された第２アプリケータ５４０と、化粧品を貯蔵するための容器または貯蔵部５４０、とを備えたものとして構成することができる。
【００４５】
前記中空長手軸５２０は、前記ハンドル５１０に接触する近端部５２０ａと、その反対側の遠端部５２０ｂとを備えたものとして構成することができる。一態様に依れば、前記ハンドル５１０の一部分は捩じることができる。前記多目的メーキャップ・アプリケータ５００は、図１−４に記載したアプリケータに類似したものとすることができる。但し、図５は、当該多目的メーキャップ・アプリケータ５００が、前記容器５４０内の液体（たとえば、マスカラ）を放出させることを可能にするバルブ５５０を備えていることを示している。種々の態様において種々のバルブを使用することが可能である。いくつかの態様において、前記バルブ５５０は、感圧バルブとして構成することができる。前記バルブ５５０は、キャップ５６０によってカバーされるように構成することができる。
【００４６】
以上、種々の多目的メーキャップ・アプリケータについて一般的用語で記載したが、次に、ひとつの具体的な多目的メーキャップ・アプリケータについて記載する。
【００４７】
図６は、一態様による、第１アプリケータ６５０と部分的に延出された状態の第２アプリケータ６６０とを図示する多目的メーキャップ・アプリケータ６００を示している。当該多目的メーキャップ・アプリケータは、ハンドル６１０と、カバー６２０と、シェル６３０と、軸６４０と、第１アプリケータ６４０と第２アプリケータ６６０とを有する。前記多目的メーキャップ・アプリケータ６００は、図１−５に記載したアプリケータに類似したものとして構成することができ、第１アプリケータ６５０はいくつかの実施例においてマスカラの塗付に使用することができ、第２アプリケータ６６０は、いくつかの実施例においてアイライナを塗付するために使用することができる。前記第１および第２アプリケータ６５０、６６０は、前記軸６４０に接続することができる。
【００４８】
図７は、ガイドコンポーネントを図示する目的で、図６の多目的メーキャップ・アプリケータ６００を前記カバー６００無しの状態で示している。図７に示したように、前記多目的メーキャップ・アプリケータ６００は、ガイドコンポーネント７００を備えることができる。このガイドコンポーネント７００は、スロット７１０を備えることができる。当該スロット７１０は、前記ガイドコンポーネント７００の表面に沿った長手開口部として構成することができる。この場合、前記ガイドコンポーネント７００は、円形プロファイルを有する。従って、前記スロット７１０は、前記ガイドコンポーネント７００の周部に沿ったものとして構成することができる。図７に示されているように、前記スロット７１０は、前記ガイドコンポーネント７００の周りで捻じれる経路を備えたものとすることができる。スロット７１０の当該経路は、前記ガイドコンポーネント７００の底部７００ａから当該ガイドコンポーネント７００の頂部７００ｂへ延出するものとして構成することができる。いくつかの実施例において、前記ガイドコンポーネント７００は、第１および第２アプリケータ（たとえば、アプリケータ６５０−６６０）の延出と格納を補助するために使用することができる。いくつかの例において、前記ガイドコンポーネント７００は、前記シェル６３０の移動を補助するために使用することができる。前記シェル６３０の移動によって、又、前記アプリケータの少なくとも一つ（たとえば、いくつかの態様において前記シェル６３０に接続されている第２アプリケータ６６０）の移動を生じさせることができる。
【００４９】
図８は、一態様による多目的メーキャップ・アプリケータ８００の第１位置にある状態を示している。この図に示されているように、前記多目的メーキャップ・アプリケータ８００は、ベース部８１０と、シェル８２０と、ガイドコンポーネント８３０と、軸８４０と、第１アプリケータ８５０とを備えたものとして構成できる。当該多目的メーキャップ・アプリケータ８００は、更に、第２アプリケータ（これは見えない）を備えることができる。いくつかの態様において、前記ベース部８１０は、ハンドル（たとえば、ハンドル６１０）に接続することができる。前記ベース部８１０は前記軸８４０に接続することができ、前記軸８４０は前記第１アプリケータ８５０に接続することができる。前記第１アプリケータ８５０は、剛毛（いくつかの態様において、マスカラを塗付するために使用することができる）を備えることができる。前記ガイドコンポーネント８３０は、スロット８６０を備えることができる。当該スロット８６０は、前記ガイドコンポーネント８３０の表面の周りに位置して、当該ガイドコンポーネント８３０の底部８３０ａへと、又はこの底部８３０ａから、ガイドコンポーネント８３０の頂部８３０ｂへと延出するように構成することができる。
【００５０】
図８に示したように、前記シェル８２０は、突起８７０を備えることができる。この突起８７０は、前記シェル８２０の外面から延出することができる。前記突起８７０は、前記スロット８６０を介して前記ガイドコンポーネント８３０に接続するように構成することができる。前記突起８７０は、更に、前記スロット８６０の周り／内部、を移動するように構成することができる。図８に示されているように、前記突起８７０は、前記スロット８６０の底部に位置することができる。前記突起８７０がスロット８６０の底部に位置している時、前記第１アプリケータ８５０は被覆されない状態となり、これは前記剛毛が露出され前記第１アプリケータ８５０が突出位置にあるということを意味する。その場合、前記多目的メーキャップ・アプリケータ８００は、マスカラアプリケータとして使用可能である。更に、この位置において、前記第２アプリケータ（これは見えない）は格納位置にある。
【００５１】
図９は、前記多目的メーキャップ・アプリケータ８００が別の位置にある状態を示している。この位置において、前記第１アプリケータ８５０は、前記シェル８２０によって部分的にカバーされている。更に、第２アプリケータ９００が見え、前記軸８４０に形成された開口部（たとえば、穴、スロット）を介してこの軸８４０から延出している。前記第２アプリケータ９００は、いくつかの態様においては、アイライナとして構成することができる。更に、この位置において、前記突起８７０は、前記スロット８６０に沿ってその中間部の周りに位置することができる。この移動により、前記シェル８２０を上方に移動させることができ、これによってこのシェル８２０によって前記第１アプリケータ８５０の一部をカバーさせる。このシェル８２０の移動によって、更に、前記第２アプリケータ９００を突出させることができる。前記第２アプリケータ９００は、いくつかの態様において、前記シェル８２０に接続されているので、突出することが可能である。いくつかの実施例において、前記ベース部８１０の回転によって、第１アプリケータ８５０を格納させながら前記突起８７０が第２アプリケータ９００の露出を強制しながらスロット８６０内を上方向に移動することによって、シェル８２０を上方に移動させることができる。前記ベース部８１０の回転は、当該ベース部８１０に接続されているハンドルの捩じりによって起こすことができる。
【００５２】
図１０は、前記多目的メーキャップ・アプリケータ８００が更に別の位置にある状態を示している。この位置において、前記第１アプリケータ８５０は、前記シェル８２０によって実質的に完全にカバーされている。更に、前記第２アプリケータ９００は、前記軸８４０の前記開口部（たとえば、穴、スリット）を介してこの軸８４０から完全に延出されている。更に、この位置において、前記突起８７０は、前記スロット８６０の頂部の周りに位置することができる。この位置において、前記多目的メーキャップ・アプリケータ８００は、いくつかの態様においてアイライナとして使用することができる。
【００５３】
いくつかの態様において、前記アプリケータの一つ又は複数を格納および／又は延出させるための前記機構は、前記シェル８２０と、前記ガイドコンポーネント８３０と、前記スロット８６０と、前記突起８７０とを有する。この格納／延出機構は、更に、前記軸８４０と前記ハンドル８１０とを備えることができる。
【００５４】
図１１は、いくつかの態様における前記多目的メーキャップ・アプリケータ８００の断面を示している。具体的には、図１１は、図１０の多目的メーキャップ・アプリケータの断面を示している。
【００５５】
図１２は、多目的メーキャップ・アプリケータの組み立て方法の一例を示している。図１２に示したように、多目的メーキャップ・アプリケータ１２００は、第１コンポーネント１２１０と、第２コンポーネント１２２０と、ガイドコンポーネント１２３０と、カバー１２４０と、キャップ１２５０とを備えて構成することができる。前記第１コンポーネント１２１０は、第２アプリケータ１２６０とシェル１２７０とを備えることができる。前記第２アプリケータ１２６０は、いくつかの態様においてはアイライナとして構成することができる。前記第１コンポーネント１２１０は、更に、突起（これは見えない）を備えることができる。この突起は、突起８７０に類似する突起として構成することができる。
【００５６】
図１２に示したように、前記第１コンポーネント１２１０は、前記第２コンポーネント１２２０に接続することができる。前記第２コンポーネント１２２０は、第１アプリケータ１２８０と軸１２９０とを備えることができる。前記第１アプリケータ１２８０は、一例において、マスカラを塗付するためのブラシおよび／又は剛毛を備えたものとして構成することができる。前記第１および第２コンポーネント１２１０および１２２０とが互いに接続されると、これら第１および第２コンポーネント１２１０および１２２０を前記ガイドコンポーネント１２３０に接続することができる。前記ガイドコンポーネント１２３０は、その内部において前記突起が移動するスロット１２９５を備えることができる。次に、第１および第２コンポーネント１２１０，１２２０およびガイドコンポーネント１２３０を前記カバー１２４０に接続し、その後、前記キャップ１２５０に接続することができる。当該キャップ１２５０は、いくつかの実施例において、液体／流体を貯蔵するための容器として使用することができる。例えば、前記キャップ１２５０は、マスカラを格納するために使用することができる。このように、前記キャップ１２５０は、前記アプリケータをカバーするためのキャップとして、そして液体を格納するための容器として、という二つの目的を持つものとして構成できる。
【００５７】
図１３は、いくつかの態様における組み付け後の前記多目的メーキャップ・アプリケータ１２００を示している。具体的には、図１３は、断面図を含む、様々な視野および角度からの、組み付け後の前記多目的メーキャップ・アプリケータ１２００を示している。図１３に示したように、組み付け後においては、見えるのはカバー１２４０、キャップ１２５０およびハンドルだけである。いくつかの実施例において、前記カバー１２４０と前記キャップ１２５０とは、ロック機構および／又はスナップ機構によって、互いに接続される。
【００５８】
図１４（図１４Ａ−１４Ｃを含む）は、一態様による多目的メーキャップ・ツール１４００の一連の操作を示している。図示されているように、前記多目的メーキャップ・ツール１４００は、ハンドル１４１０と、当該ハンドル１４１０から長手方向に沿って外方に延出する中空長手軸１４２０と、この中空長手軸１４２０内に配置された第１アプリケータ１４３０と、前記第１アプリケータ１４３０の周りのケースとして前記中空長手軸１４２０上に形成された第２アプリケータ１４４０とを有するものとして構成することができる。前記中空長手軸１４２０は、前記ハンドル１４１０に接触する近端部と、その反対の遠端部とを備えることができる。
【００５９】
図１４Ａに示したように、前記第１アプリケータ１４３０は、一端部において前記ハンドル１４１０に固定された長手部材と、第２の反対側の端部に固定されたアプリケータツールとを備えたものとして構成することができる。一態様によれば、前記第１アプリケータ１４３０の前記長手部材は、クレヨン、チョーク、リップスティック、アイライナ（液体又は固体）又はスワッブアプリケータとして構成することができる。例えば、前記第１アプリケータ１４３０は、化粧品を、たとえば、目の輪郭の周りに塗付するためのアイライナ（液体又は固体）ツールとして構成することができる。図１４Ｂに示したように、前記ハンドル１４１０又は、当該ハンドル１４１０の一部が第１方向において回転されるか捩じられると、前出したように、前記第１アプリケータ１４３０の前記長手部材は、当該長手部材の端部において、前記アプリケータツールによって軸心方向に僅かにカバーされる。
【００６０】
図１４Ｃに示したように、前記第２アプリケータ１４４０（マスカラ）は、軸心方向に延出して前記第１アプリケータ１４３０（アイライナ）を完全にカバーして、当該アプリケータのマスカラ端部を使用／塗付している間、アイライナからの汚れを回避する。
【００６１】
図１４Ｂに示したように、前記ハンドル１４１０が前記第１方向の反対の第２方向に回転又は捩じられると、前記第１アプリケータ１４３０の前記長手部材は、前記中空長手軸１４４０（マスカラ）内において軸心方向に延出することができる。
【００６２】
前記第２アプリケータ１４４０は、前記ハンドル１４１０に接続、又は形成することができる。ハンドル１４１０がある方向に捩じられるか回転されると、第２アプリケータ１４４０は、前記ハンドル１４１０内において軸心方向に延出又は格納し、それによって前記第１アプリケータ１４３０をカバーすることができる。
【００６３】
一態様によれば、前記第２アプリケータ１４４０は、外方に延出してブラシを形成する、前記カバー（encasement）上に形成された単数又は複数種の剛毛又は剛毛繊維を備えることができる。前記ブラシは、マスカラ等の化粧品を、まつ毛に塗付するための使用することができる。図１４Ａおよび図１４Ｂに示したように、前記ハンドル１４１０が前記第１方向に回転又は捩じられると、前述したように、前記アプリケータ１４４０上の前記剛毛は前記ハンドル１４１０内に格納又は押し込まれ、他方、第１アプリケータ１４３０は露出される。図１４Ｃに示したように、前記ハンドル１４１０が、前記第１方向の反対の前記第２方向に回転又は捩じられると、前記アプリケータ１４４０は、前記剛毛又は剛毛繊維と共に、塗付のための前記中空軸１４１０から外方に突出することができる。例えば、前記第２方向が反時計回り方向であるならば、前記第１方向は時計回り方向となり、あるいはこれらの逆となる。
【００６４】
ここに開示されるアプローチから逸脱することなく、図４−１４に示したコンポーネントおよび機能の単数又は複数を、再構成および／又は単一のコンポーネントに統合、又は、複数のコンポーネントとして実施することができる。上述した多目的メーキャップ・アプリケータはアイライナツールおよびマスカラ塗付ツールとして使用されるものとして記載したが、それはその他の種類の化粧製品を塗付するために使用することも可能である。ここに開示のアプローチから逸脱することなく、その他の要素又はコンポーネントを追加することも可能である。更に、前記多目的ツールの前記コンポーネントを構成するために様々な材料を使用することが可能である。
【００６５】
上述した多目的メーキャップツール（外側シェルカバー）は四角形又は円形を有するものとして図示したが、これは一例に過ぎない。別の態様において、前記多目的メーキャップ・ツールは、楕円形、六角形、八角形、その他の多角形等の他の形状を有するものとして構成することができる。
【００６６】
第３実施例
図１５は、一態様による多目的メーキャップ・アプリケータ１５００を示している。図１６は、図１５の多目的メーキャップ・アプリケータ１５００の分解図である。図１７は、一態様における、図１５の前記多目的メーキャップ・アプリケータの第１位置にある状態を示している。図１８は、一態様における、図１５の前記多目的メーキャップ・アプリケータの第２位置にある状態を示している。図１９（図１９Ａ−１９Ｄを含む）は、図１５の多目的メーキャップ・アプリケータの一連の操作を示している。図２０は、図１５の多目的メーキャップ・アプリケータの線２０−２０に沿った断面を示している。図２１は、図１５の多目的メーキャップ・アプリケータの線２１−２１に沿った断面を示している。図２２は、図１９の多目的メーキャップ・アプリケータの分解図を示している。以下の記載では図１５−２２に交互に言及する。
【００６７】
図１と同様、図１５の多目的メーキャップ・アプリケータ１５００は、ハンドル１５１０と、当該ハンドル１５１０から長手方向に沿って外方に延出する中空長手軸１５２０と、当該中空長手軸１５２０内に配置された第１アプリケータ１５３０と、当該中空長手軸上に形成された第２アプリケータ１５４０とを備えるものとして構成することができる。前記中空長手軸１５２０は、前記ハンドル１５１０に接触する近端部と、その反対側の遠端部とを備えることができる。
【００６８】
前記第１アプリケータ１５３０は、前記中空長手軸１５２０内に配置されるとともに、一端部において前記ハンドル１５１０に固定された長手部材と、第２の反対側の端部に固定されたアプリケータ・ツール１５３１とを備えて構成することができる。一態様に依れば、前記第１アプリケータ１５３０の前記長手部材は、クレヨン、チョーク、リップスティック、アイライナ又はスワッブアプリケータとして構成することができる。例えば、前記第１アプリケータ１５３０は、化粧品を、たとえば、目の輪郭の周りに塗付するための格納可能アイライナツールとして構成することができる。
【００６９】
前記第２アプリケータ１５４０は、前記長手軸１５２０の前記遠端部に接続、又は形成することができる。一態様に依れば、前記第２アプリケータ１５４０は、前記中空長手軸１５２０から外方に延出してブラシを形成する単数又は複数の剛毛又は剛毛繊維、を備えたものとして構成することができる。前記ブラシは、マスカラ等の化粧品を、まつ毛に塗付するために使用することができる。前記剛毛又は剛毛繊維は、前記中空長手軸１５２０から恒久的に外側に延出するように構成することができる。即ち、前記剛毛又は剛毛繊維は、前記第２アプリケータ１５４０の前記中空長手軸１５２０内に格納されない。
【００７０】
前記多目的メーキャップ・アプリケータ１５００は、更に、前記アプリケータを浸漬する又は格納するための容器１５１４も備えることができる。例えば、前記容器１５１４は、マスカラを保持するマスカラチューブ又はマスカラ貯蔵部として構成することができる。前記第２アプリケータ１５４０上の前記ブラシがマスカラを保持する前記容器１５１４に漬けられると、前記ブラシがこのマスカラを採り出して、そのマスカラをマスカラがついたブラシでまつ毛をブラッシングすることによってまつ毛に塗付することができる。
【００７１】
いくつかの態様において、前記第１アプリケータ１５３０を、前記長手軸１５２０に対して格納、延出するために捩じり／スライド機構を使用することができる。そのような態様において、捩じり／スライド機構１５５０を、前記ハンドル１５１０内に設けることができ、前記第１アプリケータ１５３０と前記第２アプリケータ１５４０とに接続（直接的又は関節的に）することができる。一態様において、前記第１アプリケータ１５３０の前記長手部材は、前記ハンドル１５１０内において一端部において前記捩じり／スライド機構１５５０に対して固定することができ、第２の反対側の端部にアプリケータ・ツール１５３１を固定することができる。一態様に依れば、前記第１アプリケータ１５３０の前記長手部材は、クレヨン、チョーク、リップスティック、アイライナ又はスワッブアプリケータとして構成することができる。例えば、前記第１アプリケータ１５３０は、化粧品を、たとえば、目の輪郭の周りに塗付するための格納可能アイライナツールとして構成することができる。図１８に示したように、前記ハンドル１５１０の前記ノブ１５１６が第１方向（解放方向）に回転又は捩じられると、前記第１アプリケータ１５３０の前記長手部材は軸心方向外側に延出して、それによって、当該長手部材の端部の前記アプリケータ・ツール１５３１が塗付のために露出される。図１７に示したように、前記ハンドル１５１０の前記ノブ１５１６が第２方向（閉じ方向）に回転又は捩じられると、前記第１アプリケータ１５３０の前記長手部材は前記中空長手軸１５２０内に軸心方向に格納することができる。上述したように、前記第２アプリケータ１５４０は、前記中空長手軸１５２０上の恒久的に延出した位置に位置することができる。
【００７２】
図１６および図１９Ａ−Ｄに示したように、前記捩じり／スライド機構１５５０は、スロット形状のガイドコンポーネント１５５２を備える内側キャップ１５５３を備えることができる。前記スロットは、角度を有して上方に前記内側キャップ１５５３回りを、当該内側キャップ１５５３の第１端部上の第１ポイントから、内側キャップ１５５３の第２の反対側の端部の第２ポイントまで延出する長手開口部として構成することができる。ノブ１５１６を回転させることによって、前記第１アプリケータ１５３０の前記長手部材の第１端部を前記長手軸１５２０内において直線移動させることができる。例えば、前記ノブ１５１６を第１時計方向（たとえば時計回り方向）に回転又は捩じることによって、前記第１アプリケータ１５３０の第１直線方向の移動又はスライドを引き起こすことができる。あるいは、前記ノブ１５１６を第２時計方向（たとえば反時計回り方向）に回転又は捩じることによって、前記第１アプリケータ１５３０の、いくつかの態様において、前記第１直線方向の反対の第２直線方向の移動又はスライドを引き起こすことができる。一態様において、前記第１アプリケータ１５３０の前記長手部材の前記第１端部は、前記ガイドコンポーネント１５５２に接続され、前記スロット内を移動又はスライドするように構成された突起１５５３を備えて構成することができる。
【００７３】
図１９Ａ−１９Ｄは、前記捩じり／スライド機構１５５０を使用した前記多目的メーキャップ・アプリケータの一連の操作を示している。図１９Ａに示したように、前記突起１５５３が前記ガイドコンポーネント１５５２の前記スロットの頂部に位置する時、前記第１アプリケータ１５３０は格納位置（すなわち、見えない）にあり、前記第２アプリケータは恒久的延出位置にある。その場合、前記多目的メーキャップ・アプリケータは、マスカラアプリケータとして使用することができる。
【００７４】
前記ノブ１５１６を約６０度捩じると（図１９Ｂを参照）、前記突起１５５３が前記ガイドコンポーネント１５５２の前記スロット内をスライドして前記第１アプリケータ１５３０を第２アプリケータ１５４０の長手軸１５２０から直線方向外方に延出させ始める。前記ノブ１５１６を更に６０度（又は全部で１２０度）回転すると、前記突起１５５３は前記ガイドコンポーネント１５５２のスロット内をスライドし続け、そして、前記第１アプリケータ１５３０は前記第２アプリケータ１５４０の前記長手軸１５２０から直線方向外方の延出を続け、それにより、前記第１アプリケータ１５３０の前記アプリケータツール１５３１の一部が見えるようになる（図１９Ｃを参照）。更に続けてノブ１５１６を６０度（又は全部で１８０度）捩じると、前記突起１５５３は、前記ガイドコンポーネント１５５２のスロット内でスライドを続け、第１アプリケータ１５３０を第２アプリケータの前記長手軸１５２０から直線方向外方に延出させる。この場合、前記多目的メーキャップ・ツール１５００は、たとえば、アイライナアプリケータ、又は、リップスティックとして使用することができる（図１９Ｄを参照）。前記完全延出位置にきた時、前記第１アプリケータ１５３０は、前記第２アプリケータ１５４０の前記マスカラ剛毛を超えて延出し、それにより、前記第１アプリケータ１５３０の前記アプリケータ・ツール１５３１を目の輪郭の周りに当てた時に、第２アプリケータ１５４０がまつ毛に触れることがない。
【００７５】
図２０−２１は、図２０の多目的メーキャップ・アプリケータの断面図であって、前記捩じり／スライド機構１５５０の内部構造を示している。図示されているように、前記多目的メーキャップ・アプリケータの前記捩じり／スライド機構１５５０は、前記第１アプリケータ１５３０の前記長手部材内に配置された一対のポケット（又は開口部）１５５３内に設けられた、金属ボールなどの、一対のＯリング１５５５を備えることができる。このＯリング対は、前記中空長手軸１５２０内における、前記第１アプリケータ１５３０の前記長手部材のスライドを容易にする。即ち、前記Ｏリング対１５５５は、前記第１アプリケータ１５３０が前記中空長手軸１５２０から外方にスムースかつ効率良くスライドすることを可能にする。前記Ｏリング対１５５５によって付与される圧力によって、第１アプリケータ１５３０は制御された状態で外方に延出することが可能である。
【００７６】
更に、前記容器１５１４内に一対のワイパ１５１８を設け、アプリケータが容器１５１４から取り外される時に、余分なメーキャップをアプリケータからふき取ることが可能に構成することができる。例えば、前記マスカラアプリケータをマスカラチューブから取り出す時に、前記マスカラ剛毛が前記一対のワイパ１５１８と接触して、これらワイパ対１５１８が余分なマスカラをふき取り、クランピングや汚れを回避する。
【００７７】
ここに開示されるアプローチから逸脱することなく、図１５−２２に示したコンポーネントおよび機能の一つ又は複数を、再構成および／又は、一つのコンポーネントに統合、又は複数のコンポーネントに構成することが可能である。上記多目的アプリケータはアイライナツールおよびマスカラ塗付ツールとして使用されるものとして記載したが、それは、その他のタイプの化粧製品を塗付するためにも使用可能である。ここに開示されるアプローチから逸脱することなく、追加の要素又はコンポーネントを追加することも可能である。更に、前記多目的ツールの前記コンポーネントを構成するために様々な材料を使用することが可能である。
【図１】
2015524328.tif 000003
【図２】
2015524328.tif 000004
【図３】
2015524328.tif 000005
【図４】
2015524328.tif 000006
【図５】
2015524328.tif 000007
【図６】
2015524328.tif 000008
【図７】
2015524328.tif 000009
【図８】
2015524328.tif 000010
【図９】
2015524328.tif 000011
【図１０】
2015524328.tif 000012
【図１１】
2015524328.tif 000013
【図１２】
2015524328.tif 000014
【図１３】
2015524328.tif 000015
【図１４Ａ】
2015524328.tif 000016
【図１４Ｂ】
2015524328.tif 000017
【図１４Ｃ】
2015524328.tif 000018
【図１５】
2015524328.tif 000019
【図１６】
2015524328.tif 000020
【図１７】
2015524328.tif 000021
【図１８】
2015524328.tif 000022
【図１９Ａ】
2015524328.tif 000023
【図１９Ｂ】
2015524328.tif 000024
【図１９Ｃ】
2015524328.tif 000025
【図１９Ｄ】
2015524328.tif 000026
【図２０】
2015524328.tif 000027
【図２１】
2015524328.tif 000028
【図２２】
2015524328.tif 000029
【国際調査報告】
2015524328.tif 000030
2015524328.tif 000031
2015524328.tif 000032